(57)【要約】  フロントカッティングエッジ部（２１）と、屈曲部（３２）と、ベース部（３３）と、を有するフラットカッティング部（２）を含んでなるシェービングカートリッジ用のカッティング部材（１）。屈曲部（３２）は、ベース部（３３）とフラットカッティング部（２）との間に位置する。少なくとも屈曲部（３２）とベース部（３３）とは、単一の材料片から形成されている。屈曲部（３２）は、フロントフロントカッティング部に隣接するように配置されている。提案されたカッティング部材の形状は、逆Ｌ字形に似ている。
2019519295.tif 000002
【特許請求の範囲】
【請求項１】
フロントカッティングエッジ部（２１）を有するフラットカッティング部（２）であって、カッティング部面を画定するフラットカッティング部（２）と、
屈曲部（３２）と、
ベース部（３３）と、
を含んでなる、シェービングカートリッジ用のカッティング部材（１、１２１）であって、
前記屈曲部（３２）が前記フラットカッティング部（２）と前記ベース部（３３）との間に位置し、
少なくとも前記屈曲部（３２）とベース部（３３）とが単一の材料片から形成され、
前記屈曲部（３２）が前記フロントカッティングエッジ部（２１）に近接し、
前記ベース部（３３）と前記フラットカッティング部（２）との間の角度（δ）が５０°〜８０°の間であることを特徴とする、シェービングカートリッジ用のカッティング部材（１、１２１）。
【請求項２】
先端部（３１１）を有し、前記屈曲部（３２）及び前記ベース部（３３）と共に、単一の材料片から作られたプラットフォーム部（３１）をさらに含むカッティング部材（１）であって、前記プラットフォーム部（３１）が、前記屈曲部（３２）に向かって延び、前記フラットカッティング部（２）が、前記フロントカッティングエッジ部（２１）に対向するリアエンド（２２）をさらに含み、前記プラットフォーム部の前記先端部が前記フラットカッティング部の前記リアエンド（２２）に隣接するように、前記フラットカッティング部（２）が前記プラットフォーム部（３１）に取り付けられていることを特徴とする、請求項１に記載のカッティング部材（１）。
【請求項３】
- 前記プラットフォーム部（３１）が、前記先端部（３１１）から前記屈曲部（３２）までの長さ（ＬＰ）が０.２ｍｍ〜１.５ｍｍの間であること、
- 前記プラットフォーム部（３１）が、前記屈曲部（３２）及び前記ベース部（３３）と共にサポート部（３）を形成すること、
上記特徴のうちの１つ以上をさらに含むことを特徴とする、請求項２に記載のカッティング部材（１）。
【請求項４】
前記フラットカッティング部（２）が、前記屈曲部（３２）及び前記ベース部（３３）と共に単一の材料片で作られていることを特徴とする、請求項１に記載のカッティング部材（１２１）。
【請求項５】
前記単一の材料片の厚さ（Ｔ１）が０.０７ｍｍ〜０.１８ｍｍの間であることを特徴とする、請求項１〜４のいずれか一項に記載のカッティング部材（１、１２１）。
【請求項６】
前記屈曲部の曲率半径が０.１ｍｍ〜０.３ｍｍの間であることを特徴とする、請求項１〜５のいずれか一項に記載のカッティング部材（１、１２１）。
【請求項７】
前記フラットカッティング部の厚さ（Ｔ２）が０.０４ｍｍ〜０.１１の間であることを特徴とする、請求項１〜６のいずれか一項に記載のカッティング部材（１、１２１）。
【請求項８】
請求項１〜７のいずれか一項に記載の少なくとも１つのカッティング部材（１、１２１）を含むことを特徴とするシェービングカートリッジ。
【請求項９】
プラットフォーム部（３１）と、
屈曲部（３２）と、
ベース部（３３）と、
を含んでなるブレードサポート（３）であって、
前記プラットフォーム部（３１）が前記屈曲部（３２）に向かって延び、
前記ベース部（３３）が前記屈曲部（３２）から下方に延び、
前記屈曲部（３２）が、前記ベース部（３３）と前記プラットフォーム部（３１）との間に延び、前記ベース部（３３）と前記プラットフォーム部（３１）との間の角度（δ）が５０°〜８０°の間であることを特徴とするブレードサポート（３）。
【請求項１０】
０.０７ｍｍ〜０.１８ｍｍの間の厚さであることを特徴とする、請求項９に記載のブレードサポート（３）。
【請求項１１】
- 少なくとも１つの材料片を提供するステップと、
- フロントカッティングエッジ部（２１）と、屈曲部（３２）と、ベース部（３３）と、を有するフラットカッティング部（２）を形成するステップと、
を含んでなる、シェービングカートリッジ用のカッティング部材を製造する方法であって、
前記屈曲部（３２）が、前記フラットカッティング部（２）と前記ベース部（３３）との間にあって、
前記屈曲部（３２）が、前記フロントカッティングエッジ部（２１）に隣接し、
前記ベース部（３３）と前記フラットカッティング部（２）との間の角度（δ）が５０°〜８０°の間であることを特徴とする、カッティング部材を製造する方法。
【請求項１２】
- 先端部（３１１）を有し、前記屈曲部（３２）と前記ベース部（３３）と共に、単一の材料片から作られたプラットフォーム部（３１）を形成するステップであって、
前記プラットフォーム部（３１）が、前記屈曲部（３２）に向かって延び、
前記フラットカッティング部（２）が、前記フロントカッティングエッジ部（２１）に対向するリアエンド（２２）をさらに含む、プラットフォーム部（３１）を形成するステップと、
- 前記プラットフォーム部の前記先端部（３１１）が、前記フラットカッティング部の前記リアエンド（２２）に隣接するように、前記フラットカッティング部（２）を前記プラットフォーム部（３１）上に組み立てるステップと、
をさらに含んでなることを特徴とする、請求項１１に記載のカッティング部材を製造する方法。
【請求項１３】
- 単一の前記材料片の厚さが、０.０７ｍｍ〜０.１８ｍｍの間であって、
- 前記屈曲部（３２）の曲率半径Ｒが、０.１ｍｍ〜０.３ｍｍの間であって、
- 前記ベース部（３３）と前記フラットカッティング部（２）との間の角度（δ）が、５０°〜８０°の間であって、
- 前記フラットカッティング部（２）の厚さが、０.０４ｍｍ〜０.１１ｍｍの間であって、
上記特徴のうちの１つ以上をさらに含むことを特徴とする、請求項１１又は１２に記載のカッティング部材を製造する方法。
【発明の詳細な説明】
【技術分野】
【０００１】
本願は、シェービングカートリッジ用のカッティング部材、ブレードサポート、およびそのようなカッティング部材を製造する方法に関する。より詳細には、本願は、シェービングカートリッジ用のカッティング部材のユニークで特有の形状に関する。
【背景技術】
【０００２】
シェービングカミソリの現在の設計は、ハンドルに取り付けられたハウジング内に配置された１つ以上のブレードを含む。ハウジングとブレードは一緒になってカミソリカートリッジを形成する。一般に、ブレードはサポートに溶接され、ブレードとサポートは共にカッティング部材を形成する。多くのカミソリカートリッジは可動ブレードを使用しており、カッティング部材はシェービング時にハウジングの内側に移動することが許容される。１つのカートリッジ内のブレードの数が増加すると、カミソリカートリッジのフットプリント(footprint)のために、水および切断された毛材がカートリッジを通って流れるスペースが減少する。すすぎ性を向上させる努力は、より薄いブレードを提供することにつながるが、これは、ブレードが遭遇する機械的応力のために困難である。
【０００３】
可動ブレードのサポートの現在の設計によれば、ブレードの負荷はブレードの中心に集中し、それによってハウジング内にサポート機構を設ける必要性が生じる。可動ブレードの設計ではすすぎ性がはるかに優れている一方、薄いサポートや一体型屈曲ブレードを使用するには、ハウジングに追加のサポート機構が必要であり、その結果、より多くのブロックされた領域が創出される。
【発明の概要】
【発明が解決しようとする課題】
【０００４】
ハウジングのサポート機構は、シェービングヘッド内に追加の「障害物」を作り出し、これによってヘッドのすすぎやすさが大幅に減少し、デブリの蓄積およびブレードの早期鈍化につながる。また、シェービング中にブレードに加えられる力（特定の寸法を有するシェービングヘッドの場合）は、サポートおよびブレード本体の薄さを制限する。ハウジング内のブレードの自由度に加えて、力はブレードをハウジング内で上方および後方に移動させ、ブレードがより攻撃的になるにつれて欠損および切断の可能性を増加させる。
【課題を解決するための手段】
【０００５】
本願は、改善されたシェービング性能をもたらす特定の設計を有するシェービングカートリッジ用のカッティング部材を提供すること、独特な形状のブレードサポートを提供すること、そして、シェービングカートリッジ用の独特な形状のカッティング部材を製造する方法を提供することに関する。
【０００６】
より詳細には、本願の態様は、シェービングカートリッジ用のカッティング部材を含んでなり、カッティング部材は、フラットカッティング部と屈曲部とベース部とを含み得る。フラットカッティング部は、フロントカッティングエッジ部を含んでなり、フラットカッティング部は、カッティング部面を画定し得る。屈曲部は、フラットカッティング部およびベース部の中間にあり得る。少なくとも屈曲部およびベース部は、単一の材料片から形成され得る。カッティング部材は、屈曲部がフロントカッティングエッジ部に隣接するように設計され得る。
【発明の効果】
【０００７】
本説明によれば、独特なデザインのシェービングカートリッジ用のカッティング部材は、ブレードがユーザーの皮膚に対して攻撃的でなく、従来のシェービングカートリッジに比べてより密接に皮膚の輪郭に追随する。これにより、望ましくない切り傷および裂傷が減少し、全体的に改善されたシェービング性能が得られる。いくつかの実施形態によれば、このような新しいサポート設計は、より薄いブレードやより薄いサポートを使用することを可能にし得る。したがって、製造プロセスはより速く、より効率的で、全体的な製造コストを低減する可能性がある。
【図面の簡単な説明】
【０００８】
本願は、本発明の概念を形成すると見なされる主題を特に指摘し、明確に主張する特許請求の範囲で結論付けられるが、そのような概念は、以下のような添付の図面と併せてよりよく理解されると考えられる。符号は実質的に同一の要素を指定するために使用される。
【０００９】
【図１】従来のシェービングヘッド、ブレード及びブレードサポートの断面図である。
【図２】図１の従来のブレード及びブレードサポートの垂直断面図である。
【図３】本願の一態様によるシェービングカートリッジの斜視図である。
【図４】図３のシェービングカートリッジの分解斜視図である。
【図５】図３のシェービングカートリッジ及びカッティング部材の分解断面図である。
【図６】図３のカッティング部材の上面図である。
【図７】図６のカッティング部材の正面図である。
【図８】図６のカッティング部材の側断面図である。
【図９】図６のカッティング部材の拡大垂直断面図である。
【図１０】本願のカッティング部材の別の態様の垂直断面図である。
【発明を実施するための形態】
【００１０】
本発明の概念は、その適用において、構成の詳細及び以下の説明に記載される、或いは、図面に示される構成要素の実施形態に限定されないことを理解されたい。図面および記載された説明は、当業者が特許の保護が求められる発明を作成および使用することを教示するために提供される。本発明の概念は、他の実施形態が可能であり、様々な方法で実施され実行される。当業者であれば、本概念の態様を組み込んだ実際の商業的実施形態の開発は、商業的実施形態の開発者の最終目的を達成するための多数の実施形態の特定の決定を必要とすることを理解するであろう。これらの努力は複雑で時間がかかるが、それにもかかわらず、これらの努力は本願の開示の恩恵を受ける当業者には日常的なルーチンであろう。
【００１１】
本明細書で使用される表現および用語は、説明のためのものであって、限定的であると見なされるべきではない。例えば、「a」のような単数の用語の使用は、項目の数を限定することを意図するものではない。また、「上」、「下」、「左」、「右」、「上側」、「下側」、「下方」、「上方」、「サイド」などの関係する用語の使用は、図面を具体的に参照するために明確にするために説明において使用されており、本概念または添付の特許請求の範囲を限定するものではない。さらに、本概念の特徴のいずれか１つを別個に、または他の特徴と組み合わせて使用し得ることを理解されたい。本概念の他のシステム、方法、特徴、および利点は、図面および詳細な説明を検討することによって、当業者には明らかであるか、または明らかになるであろう。そのような付加的なシステム、方法、特徴、および利点のすべては、この説明内に含まれ、本概念の範囲内で、添付の請求項によって保護されることが意図される。
【００１２】
さらに、説明および添付の特許請求の範囲で使用される「実質的に」などの（ただしこれに限定されない）程度の任意の用語は、正確な或いは類似の構成を含むと理解すべきである。例えば、「実質的な」形状とは、正確な形状または類似の形状を含むが、正確な形状に限定されないことを意味する。同様に、「実質的なＬ」字形とは、正確な「Ｌ」字形またはこれに類似するが、正確な「Ｌ」字形だけでない。また、「実質的に平坦な表面」は、正確な平面または同等であるが、正確ではない平面を含むことを意味する。同様に、明細書および添付の特許請求の範囲で使用される「約」または「およそ」という用語は、列挙された値または列挙された値より大きいまたは小さい値を含むと理解されるべきであって、文脈の観点から当業者には理解されよう。例えば、それは列挙された値よりも２０％大きいかまたは小さい百分率である。例えば、約１０ミリメートルは、８ミリメートルから１２ミリメートルまでの全ての値を含み、約５０度は、４０度から６０度までの全ての値を含む。
【００１３】
さらに、本発明の概念は、多くの異なる形態の実施形態の影響を受けやすいので、本発明の概念は、本発明の概念の一例として考えられ、本発明の概念を図示および説明された特定の実施形態に限定するものではない。本発明の概念のいずれか１つは、別個に、または他の任意の特徴と組み合わせて使用し得る。本明細書における用語「一実施形態」、「他の実施形態」および／または同様のものへの言及は、参照される特徴および／または特徴が、明細書の少なくとも１つの態様に含まれることを意味する。本明細書における「一実施形態」、「他の実施形態」などの用語に関する別個の言及は、必ずしも同じ実施形態を指しているわけではなく、特に、記載されていない限り、および／または当業者には容易に明らかである場合を除いて、それに限定されない。例えば、一実施形態で説明した特徴、構造、プロセス、ステップ、動作などは、他の実施形態に含まれてもよいが、必ずしも含まれる必要はない。したがって、本発明の概念は、本明細書に記載される実施形態の様々な組み合わせおよび／または統合を含み得る。さらに、本明細書に記載の本願の全ての態様は、その実施に必須ではない。同様に、本概念の他のシステム、方法、特徴、および利点は、図面および説明を検討すると当業者に明らかであり、または明らかになるであろう。このような付加的なシステム、方法、特徴、および利点のすべては、この説明内に含まれ、本概念の範囲内であって、請求項に包含されることが意図される。
【００１４】
図面において、同じ参照符号は同一または類似の要素を示す。
【００１５】
図１は、ハウジング内に配置された複数のブレード（「切断部」）を備えた従来のシェービングカートリッジヘッドを詳細に示している。ブレードはそれぞれの細長いサポートに取り付けられている。図２に、ブレードとブレードサポートアセンブリの詳細を示す。より具体的には、図２はブレード９８とブレードサポート９９を詳細に示し、ブレードとブレードサポートのアセンブリ１００を一緒に形成する。従来使用されているブレードとブレードサポートのアセンブリ１００では、ブレードサポート９９は約０.２８ｍｍの厚さである。
【００１６】
本願の態様は、ハウジング９を含むシェービングカートリッジ１２を含み得る。ハウジング９は、Ｘ−Ｘ軸に沿って長手方向に延び得る。図３および図４を参照すると、ハウジング９は、従来の長方形に形成されてもよい。しかしながら、いくつかの態様によれば、ハウジング９は、異なる形状、例えば楕円形状を有していてもよい。
【００１７】
図４にさらに詳細に示すように、ハウジング９は、トップ部１１と、このトップ部１１に対向する底部１３と、フロント部１５と、フロント部１５に対向するリア部１７とを有し得る。ハウジングのトップ部１１および底部１３は、互いに平行であり得る。フロント部１５およびリア部１７は、互いに対向し、複数のサイド部１８、１９を含み得る。フロント部１５およびリア部１７は、側面軸(lateral axis)Ｚ−Ｚに沿って、ハウジングのトップ部１１と底部１３との間に横方向に延び得る。側面軸Ｚ−Ｚは、縦軸Ｘ−Ｘと交差し、縦軸Ｘ−Ｘに対して垂直であってもよい。複数のサイド部１８、１９は、第１のサイド部１８と第２のサイド部１９とを有し得る。第１のサイド部１８と第２のサイド部１９とは、ハウジングのフロント部１５とリア部１７との間に 横方向軸線Ｙ−Ｙに沿って横方向に延び得る。２つのサイド部１８、１９は、フロント部１５とリア部１７との間で、或いは、トップ部１１と底部１３との間で角度をなし得る。横軸Ｙ−Ｙは、縦軸Ｘ−Ｘおよび側面軸Ｚ−Ｚに直交し得る。
【００１８】
ハウジング９は、プラスチック材料で作られ得る。また、他の材料も使用し得る。ハウジング９は、２つ以上の異なる材料の組み合わせからも製作され得る。ハウジング９はまた、シェービングカートリッジ１２がハンドルに接続されることを可能にする接続機構を含み得る。
【００１９】
ハウジング９は、ハウジングのフロント部１５に隣接するガードバー１０と、ハウジングのリア部１７に隣接するキャップ８とを含み得る。キャップ８は、上向きに配向され、シェービングプロセス中に使用者の皮膚と接触するように構成された潤滑ストリップ８１を含み得る。
【００２０】
ハウジング９は、ブレード収容部４３を含み得る。ブレード収容部４３は、ハウジングのトップ部１１に、ハウジングのフロント部１５とリア部１７との間に配置され得る。ブレード収容部４３は、凹部を画定し、少なくとも１つのカッティング部材１、１２１を受容するように構成され得る。少なくとも１つのカッティング部材１、１２１は、ハウジングのフロント部１５とハウジングのリア部１７との間と、ハウジングの複数のサイド部１８、１９の間のブレード収容部４３に取り付けら得る。それぞれのカッティング部材１、１２１は、長手方向軸線Ｘ−Ｘに沿って長手方向に延び得る。ブレード収容部４３は、従来の矩形状であってもよい。
【００２１】
少なくとも１つのカッティング部材１、１２１は、フラットカッティング部２、屈曲部３２、およびベース部３３を含み得る。シェービングカートリッジ１２は、３つのカッティング部材１、１２１を含み得る。他の態様によれば、カッティング部材１、１２１は、３つより多いまたは少ないカッティング部材１、１２１を含み得る。図５に詳細に示すように、シェービングカートリッジ１２は、例えば、５つのカッティング部材１、１２１を含み得る。シェービングカートリッジ１２におけるカッティング部材１、１２１の数量は、変化し得る。
【００２２】
カッティング部材１、１２１は、少なくとも屈曲部３２およびベース部３３が単一の材料片から作られるように形成され得る。
【００２３】
少なくとも１つのカッティング部材１、１２１は、横方向軸Ｙ−Ｙに沿ってブレード収容部４３に移動可能に取り付けられ得る。例えば、カッティング部材１、１２１は、２つの弾性フィンガー７７によって担持され得る。弾性フィンガー７７は、図４に示すように、ブレード受け部４３内で互いに向かって、ハウジングの複数のサイド部１８、１９のそれぞれから上方に延び得る。
【００２４】
少なくとも１つのカッティング部材１、１２１は、保持部材５５によってハウジング内に保持され得る。保持部材５５は、例えばクリップであってもよい。クリップ５５は、規則的なＵ字形で、本体５６と、少なくとも２本の脚５７、５８とを含み得る。クリップの本体５６は、少なくとも２本の脚５７、５８の間で横軸Ｙ−Ｙに沿って延び得る。クリップ５５は、フラットカッティング部２のフロントカッティングエッジ部２１に対向して配置され、カッティング部材１、１２１をハウジング９内に保持し得る。他の態様によれば、カッティング部材１、１２１は、保持具または超音波溶接キャップによってハウジングに保持され得る。
【００２５】
いくつかの態様によれば、フラットカッティング部２は、ハウジングのトップ部１１を介して露出され得る。カッティング部材１のフラットカッティング部２は、少なくとも１つのブレードであってもよい。ブレードは金属材料で作られ得る。いくつかの態様によれば、他の材料、例えばセラミックスも同様に使用され得る。フラットカッティング部２は、長手方向軸線Ｘ−Ｘに沿って長手方向に延び得る。フラットカッティング部２は、フロントカッティングエッジ部２１と、フロントカッティングエッジ部２１に対向するリアエンド２２と、を有し得る。フロントカッティングエッジ部２１は、シェービングプロセス中に髭を切断するために、ハウジング９のトップ部１１でアクセス可能である。フラットカッティング部２は、カッティング部面を画定し得る。
【００２６】
それぞれのフラットカッティング部２はサポート部３にそれぞれ支持され得る。サポート部３は、ベース部３３と、屈曲部３２と、フラットカッティング部２が取り付けられるプラットフォーム部３１と、を含み得る。フラットカッティング部２は、溶接技術によってサポート部３に取り付けられてもよく、または糊付けまたは接着剤などの任意の他の技術が使用されてもよい。
【００２７】
サポート部３は、軸Ｘ−Ｘに沿って輪郭を描くことができる。したがって、サポート部３の幾何学的形状は、軸Ｘ−Ｘに沿って実質的に同様であってもよい。プラットフォーム部３１は、フラットカッティング部の屈曲部３２とリアエンド２２との間で、屈曲部３２に向かって延びる。プラットフォーム部３１は、フラットカッティング部２に接続され得る。プラットフォーム部３１は、先端部３１１を含み得る。プラットフォーム部３１は、屈曲部３２とベース部３３と共に、単一の材料片で作られ得る。ベース部３３は、屈曲部３２から下方に延び得る。屈曲部３２は、プラットフォーム部３１およびベース部３３の中間にあって、プラットフォーム部３１とベース部３３との間に延在し得る。先端部３１１は、フラットカッティング部のリアエンド２２に隣接して配置されてもよい。
【００２８】
図９に示すように、サポート部３の形状は、逆Ｌ字に似ている。「逆」とは、この向きに沿って、「Ｌ」を１８０°回転させ得ることを意味する。逆Ｌ字サポート部３は、シェービング中のブレードの下向き及び後向きの動きのために、それほど攻撃的でないブレードを導き、その結果、望ましくない裂傷や切り傷の発生が減り、流動性が向上する。ユーザーの皮膚の輪郭が、より密接に追跡され、従来のシェービングカートリッジと比較して全体的に改善されたシェービング性能をもたらし得る。逆Ｌ字形のサポート部３は、より薄いブレード及びより薄いブレードサポートの使用を可能にし得る。その結果、製造コストを低減することができる。
【００２９】
サポート部３は、金属材料のような様々な材料で作られ得る。サポート部３の厚さＴ１は、０.０７ｍｍ〜０.１８ｍｍの間であってもよい。いくつかの態様によれば、厚さＴ１は０.１０ｍｍ〜０.１５ｍｍの間で、さらなる態様によれば、約０.１２ｍｍであってもよい。
【００３０】
図９に示すように、屈曲部３２は、０.１ｍｍ〜０.３ｍｍの間の「曲率半径」とも呼ばれる内側曲率半径Ｒを含み得る。いくつかの態様によれば、内側曲率半径Ｒは、０.１５ｍｍ〜０.２５ｍｍの間で、いくつかの態様では、約０.２ｍｍであってもよい。
【００３１】
プラットフォーム部３１は、ベース部３３に対して４５°〜９０°の間の角度δで延び得る。いくつかの態様によれば、角度δは５０°〜８０°の間で、さらなる態様によれば、角度δは約７０°であってもよい。特に、典型的な従来技術のカートリッジのサポート部３と同じ方向にハウジング９内に延在するサポート部３を有する場合、カッティング部材１の向きは、この典型的な従来技術のカートリッジのカッティング部材の向きと同様であり得る。
【００３２】
サポート部３のプラットフォーム部３１は、先端部３１１から屈曲部３２への長さが０.２ｍｍ〜１.５ｍｍの間であり得る。いくつかの態様によれば、プラットフォーム部３１は、約０.４ｍｍ〜１.０ｍｍの間で、さらなる態様によれば、先端部３１１から屈曲部３２への長さＬＰが約０.５ｍｍであり得る。
【００３３】
カッティング部材のフラットカッティング部２の厚さＴ２は、０.０４ｍｍ〜０.１１ｍｍの間であり得る。他の態様によれば、厚さＴ２は、約０.１ｍｍであってもよい。
【００３４】
フラットカッティング部２がサポート部３に支持される態様によれば、サポート部３は、弾性フィンガー７７によって担持され得る。
【００３５】
本願の更なる態様によれば、カッティング部材１２１は、図１０に詳述するように、フラットカッティング部２、屈曲部３２、及び、ベース部３３を含み得る。フラットカッティング部２は、ハウジング９のトップ部１１を介して露出され得る。フラットカッティング部２は、長手方向軸線Ｘ−Ｘに沿って長手方向に延び得る。
【００３６】
フラットカッティング部２は、シェービングプロセス中に髭を切断するためにハウジング９のトップ部１１にアクセス可能なフロントカッティングエッジ部２１を含み得る。フラットカッティング部２は、カッティング部面を画定し得る。フラットカッティング部２は、屈曲部３２とベース部３３と共に、単一の材料片から作製され得る。ベース部３３は、屈曲部３２から下方に延び得る。屈曲部３２は、フラットカット部２及びベース部３３の中間で、フラットカット部２とベース部３３との間に延び得る。屈曲部３２は、フロントカッティングエッジ部２１に近接し得る。換言すれば、屈曲部３２は、ガードバー１０が存在し得るハウジングのフロント部１５に向けて配向され得る。
【００３７】
カッティング部材１２１の形状は、逆Ｌ字に似ていてもよい。「逆」とは、この向きに沿って、「Ｌ」が１８０°回転し得ることを意味する。新たに設計されたカッティング部材１２１は、あまり攻撃的ではないプロファイルをもたらし、それによって、望ましくない裂傷や切り傷の発生が減り、流動性が向上する。ユーザーの皮膚の輪郭は、より密接に追従することができ、従来のシェービングカートリッジと比較して全体的に改善されたシェービング性能をもたらし得る。
【００３８】
屈曲部３２は、「曲率半径」とも呼ばれる、０.１ｍｍ〜０.３ｍｍの間の内側曲率半径Ｒを有し得る。いくつかの態様によれば、内側曲率半径Ｒは、０.１５ｍｍ〜０.２５ｍｍの間で、さらなる態様によれば、約０.２ｍｍであってもよい。
【００３９】
フラットカッティング部２は、ベース部３３に対して４５°〜９０°の間の角度δで延び得る。いくつかの態様によれば、角度δは約５０°〜８０°の間で、さらなる態様によれば、角度δは約７０°であってもよい。
【００４０】
シェービングカートリッジ１２用のカッティング部材１、１２１を製造する方法は、
- 少なくとも１つの材料片を提供するステップと、
- フロントカッティングエッジ部２１と、屈曲部３２と、ベース部３３と、を有するフラットカッティング部２を形成するステップと、
を含んでなり、
屈曲部３２が、フラットカッティング部２とベース部３３との間にあって、
屈曲部３２が、フロントカッティングエッジ部２１に隣接され得ることを特徴とする。
【００４１】
この方法は、
- 先端部３１１を有し、屈曲部３２とベース部３３と共に、単一の材料片から作られたプラットフォーム部３１を形成するステップであって、
プラットフォーム部３が、屈曲部３２に向かって延び、
フラットカッティング部２が、カッティングエッジ部２１に対向するリアエンド２２をさらに含む、プラットフォーム部３１を形成するステップと、
- 先端部３１１がリアエンド２２に隣接し得るようにフラットカッティング部２をプラットフォーム部３１上に組み立てるステップと、
をさらに含む。
【００４２】
この方法は、
- 単一の材料片が、好ましくは０.０７ｍｍ〜０.１８ｍｍの間であって、いくつかの態様では、単一の材料片が０.１０ｍｍ〜０.１５ｍｍの間であって、さらなる態様では、約０.１２ｍｍであってもよく、
- 屈曲部３２の曲率半径Ｒが、０.１ｍｍ〜０.３ｍｍの間であって、いくつかの態様では、０.１５ｍｍ〜０.２５ｍｍの間であって、さらなる態様では、約０.２ｍｍであってもよく、
- フラットカッティング部２が、ベース部３３に対して４５°〜９０°の間の角度δで延び、いくつかの態様では、角度δが５０°〜８０°の間であって、さらなる態様では、角度δが約７０°であってもよく、そして
- フラットカッティング部２の厚さＴ２が、０.０４ｍｍ〜０.１１ｍｍの間であって、いくつかの態様では、約０.１ｍｍであってもよい、
上記特徴の１つまたは複数をさらに含み得る。
【００４３】
いくつかの態様によれば、フラットカッティング部２はブレードであり得る。フロントカッティングエッジ部２１は、ハウジング９を介して露出され得る。より具体的には、フロントカッティングエッジ部２１は、ハウジング９のトップ部１１を介して露出され得る。屈曲部３２およびベース部３３と共にフラットカッティング部２が取り付けられるプラットフォーム部３１が、サポート部３を形成し得る。フラットカッティング部２は、溶接技術、或いは、縫合または接着剤などの任意の取り付け技術によってサポート部３に取り付けられ得る。屈曲部３２は、プラットフォーム部３１及びベース部３３の中間にあり得る。ベース部３３は、屈曲部３２から下方に延び得る。
【符号の説明】
【００４４】
１、１２１  カッティング部材
２  フラットカッティング部
３  サポート部
８  キャップ
９  ハウジング
１０  ガードバー
１１  トップ部  
１２  シェービングカートリッジ
１３  底部
１５  フロント部
１７  リア部
１８  第１のサイド部
１９  第２のサイド部
２１  フロントカッティングエッジ部
２２  リアエンド
３１  プラットフォーム部
３２  屈曲部
３３  ベース部
４３  ブレード収容部
５５  保持部材
５６  本体
５７、５８  脚
７７  弾性フィンガー
８１  潤滑ストリップ
３１１  先端部
【図１】
2019519295.tif 000003
【図２】
2019519295.tif 000004
【図３】
2019519295.tif 000005
【図４】
2019519295.tif 000006
【図５】
2019519295.tif 000007
【図６】
2019519295.tif 000008
【図７】
2019519295.tif 000009
【図８】
2019519295.tif 000010
【図９】
2019519295.tif 000011
【図１０】
2019519295.tif 000012
【国際調査報告】
2019519295.tif 000013
2019519295.tif 000014